(57)【要約】      （修正有）【課題】出芽及び苗立ちが良好な種子と、その製造方法を提供する。【解決手段】種子をジベレリン溶液、アブシシン酸溶液、モリブデン及びモリブデン化合物から選ばれる少なくとも１つの溶液に浸漬し、浸漬後にモリブデン及びモリブデン化合物から選ばれる少なくとも１つで被覆する。操作の簡便性から、ジベレリン、アブシシン酸、並びにモリブデン及びモリブデン化合物から選ばれる少なくとも１つの混合溶液に種子を浸漬することが好ましい。更に鉄が表面に保持されていることこが好ましい種子。前記種子が稲の種子であることが好ましい。【選択図】なし【特許請求の範囲】
【請求項１】
下記（Ａ）、（Ｂ）、及び（Ｃ）が、各々表面または内部に保持されている種子。
（Ａ）ジベレリン
（Ｂ）アブシシン酸
（Ｃ）モリブデン及びモリブデン化合物からなる群から選ばれる少なくとも１つ
【請求項２】
さらに鉄が表面に保持されている請求項１に記載の種子。
【請求項３】
種子が稲の種子である請求項１または２に記載の種子。
【請求項４】
請求項１〜３のいずれか一項に記載の種子を、圃場に直接播種することを特徴とする植物の栽培方法。
【請求項５】
種子を、下記（ａ）、（ｂ）、及び（ｃ）に浸漬する工程を有する請求項１〜３のいずれか一項に記載の種子の製造方法。
（ａ）ジベレリン溶液
（ｂ）アブシシン酸溶液
（ｃ）モリブデン及びモリブデン化合物からなる群から選ばれる少なくとも１つの溶液
【請求項６】
ジベレリンとアブシシン酸の濃度比（アブシシン酸／ジベレリン）が０．０００１〜１００の溶液、並びにジベレリンとモリブデン及びモリブデン化合物から選ばれる少なくとも１つの濃度比（モリブデン及びモリブデン化合物から選ばれる少なくとも１つ／ジベレリン）が０.０１〜１００００００の溶液を用いる、請求項５に記載の種子の製造方法。
【請求項７】
種子を、ジベレリン溶液、及びアブシシン酸溶液に浸漬する工程を経た後、モリブデン及びモリブデン化合物から選ばれる少なくとも１つで被覆する工程を有する請求項１〜３のいずれか一項に記載の種子の製造方法。
【請求項８】
ジベレリンとアブシシン酸の濃度比（アブシシン酸／ジベレリン）が０．０００１〜１００の溶液に浸漬する工程を経た後、０．１〜１０００μｍｏｌ／ｇ  ｄｒｙ  ｓｅｅｄの範囲で酸化モリブデン粉末を被覆する工程を有する請求項７に記載の種子の製造方法。
【発明の詳細な説明】
【技術分野】
【０００１】
本発明は、薬剤処理種子及びその製造方法に関する。
【背景技術】
【０００２】
近年、育苗・定植の手間の省略が可能なことから、圃場に直接種子を播種する直播栽培が拡大してきている。
【０００３】
しかしながら、直播栽培は、発芽不良や生育不良が起こりやすいといった問題が知られており、その後の苗立ち（健全に生育したイネ２〜３葉期）にも大きな影響を及ぼすことから、さまざまな改善方法が提案されている（特許文献１、２）。
【先行技術文献】
【特許文献】
【０００４】
【特許文献１】国際公開第２０１１／０９３３４１号
【特許文献２】国際公開第２０１３／１３３１５９号
【発明の概要】
【発明が解決しようとする課題】
【０００５】
本発明は、出芽及び苗立ちが良好な種子を提供することを課題とする。
【課題を解決するための手段】
【０００６】
本発明者らは、上記課題を解決すべく鋭意検討を行った結果、（Ａ）ジベレリン、（Ｂ）アブシシン酸、並びに（Ｃ）モリブデン及びモリブデン化合物から選ばれる少なくとも１つ、が、各々表面または内部に保持されている種子が、出芽及び苗立ちが良好になることを見出した。
すなわち本発明は、次の通りである。
［１］下記（Ａ）、（Ｂ）、及び（Ｃ）が、各々表面または内部に保持されている種子。
（Ａ）ジベレリン
（Ｂ）アブシシン酸
（Ｃ）モリブデン及びモリブデン化合物からなる群から選ばれる少なくとも１つ
［２］さらに鉄が表面に保持されている［１］に記載の種子。
［３］種子が稲の種子である［１］または［２］に記載の種子。
［４］［１］〜［３］のいずれか一項に記載の種子を、圃場に直接播種することを特徴とする植物の栽培方法。
［５］種子を、下記（ａ）、（ｂ）、及び（ｃ）に浸漬する工程を有する［１］〜［３］のいずれか一項に記載の種子の製造方法。
（ａ）ジベレリン溶液
（ｂ）アブシシン酸溶液
（ｃ）モリブデン及びモリブデン化合物からなる群から選ばれる少なくとも１つの溶液
［６］ジベレリンとアブシシン酸の濃度比（アブシシン酸／ジベレリン）が０．０００１〜１００の溶液、並びにジベレリンとモリブデン及びモリブデン化合物から選ばれる少なくとも１つの濃度比（モリブデン及びモリブデン化合物から選ばれる少なくとも１つ／ジベレリン）が０.０１〜１００００００の溶液を用いる、［５］に記載の種子の製造方法。
［７］種子を、ジベレリン溶液、及びアブシシン酸溶液に浸漬する工程を経た後、モリブデン及びモリブデン化合物から選ばれる少なくとも１つで被覆する工程を有する［１］〜［３］のいずれか一項に記載の種子の製造方法。
［８］ジベレリンとアブシシン酸の濃度比（アブシシン酸／ジベレリン）が０．０００１〜１００の溶液に浸漬する工程を経た後、０．１〜１０００μｍｏｌ／ｇ  ｄｒｙ  ｓｅｅｄの範囲で酸化モリブデン粉末を被覆する工程を有する［７］に記載の種子の製造方法。
【発明の効果】
【０００７】
本発明により、出芽及び苗立ちが良好な種子を提供することができる。
【発明を実施するための形態】
【０００８】
本発明に利用される種子としては、イネ科、マメ科、アブラナ科等の種子が挙げられる。これらのうち、一般的な栽培方法の中に、播種の前に水に浸漬して催芽させる過程のある作物が好適である。特に、イネ科イネ属イネ（Ｏｒｙｚａ  ｓａｔｉｖａ）が好ましい。
本発明に利用される種子は、公知の方法で採種、調整されたものを用いることができる。
【０００９】
ジベレリンとは、種子の発芽過程や細胞伸長、細胞分裂、花芽の分化・誘導、果実の肥大などに関与する植物ホルモンの一種であり、ジベレリンＡ１、ジベレリンＡ３、ジベレリンＡ４、およびジベレリンＡ７等が挙げられる。本発明においては、ジベレリンＡ３（ジベレリン酸）が好ましく、市販のジベレリンＡ３およびジベレリンＡ３を含む混合剤を利用することができる。
また、アブシシン酸とは、種子・芽の休眠、老化・器官脱離、気孔の閉鎖などに関与する植物ホルモンの一種であり、本発明においては、（Ｓ）−（＋）−アブシシン酸、（Ｒ）−（−）−アブシシン酸、２−トランス−アブシシン酸、（±）−アブシシン酸等市販の化合物を利用することができる。
【００１０】
本発明において、モリブデン及びモリブデン化合物から選ばれる少なくとも１つとは、モリブデン、酸化モリブデン（無水モリブデン酸）、モリブデン酸とその塩、モリブドリン酸（リンモリブデン酸）とその塩、モリブドケイ酸（ケイモリブデン酸）とその塩等をいう。モリブデン及びモリブデン化合物として安価で市販されているものとしては、モリブデン、酸化モリブデン、モリブデン酸、モリブデン酸カルシウム、モリブデン酸マグネシウム、モリブドリン酸アンモニウム（リンモリブデン酸アンモニウム）、モリブドリン酸カリウム（リンモリブデン酸カリウム）、モリブデン酸アンモニウム、モリブデン酸ナトリウム、モリブデン酸カリウム、モリブドリン酸、モリブドリン酸ナトリウム（リンモリブデン酸ナトリウム）、モリブドケイ酸が挙げられる。 
【００１１】
本発明の（Ａ）ジベレリン、（Ｂ）アブシシン酸、並びに（Ｃ）モリブデン及びモリブデン化合物から選ばれる少なくとも１つ、が、各々表面または内部に保持された種子（以下、本発明種子と記す）とは、種子に（Ａ）ジベレリン、（Ｂ）アブシシン酸、並びに（Ｃ）モリブデン及びモリブデン化合物から選ばれる少なくとも１つ、の各々を、浸漬処理により保持させたもの、あるいは、粉衣処理、吹付け処理、塗沫処理等の被覆処理により保持させたものをいう。（Ａ）ジベレリン、（Ｂ）アブシシン酸については浸漬処理、（Ｃ）モリブデン及びモリブデン化合物から選ばれる少なくとも１つについては浸漬処理あるいは被覆処理が好ましい。具体的には、以下の方法により製造することができる。
（１）種子を、下記（ａ）、（ｂ）、及び（ｃ）に浸漬する（以下、製造方法１と記す）。  
（ａ）ジベレリン溶液
（ｂ）アブシシン酸溶液
（ｃ）モリブデン及びモリブデン化合物から選ばれる少なくとも１つの溶液
（２）種子を、ジベレリン溶液、及びアブシシン酸溶液に浸漬した後、モリブデン及びモリブデン化合物から選ばれる少なくとも１つで被覆する（以下、製造方法２と記す）。
【００１２】
製造方法１において、種子を（ａ）ジベレリン溶液、（ｂ）アブシシン酸溶液、並びに（ｃ）モリブデン及びモリブデン化合物から選ばれる少なくとも１つの溶液、に浸漬するとは、たとえば、ジベレリン溶液、アブシシン酸溶液、並びにモリブデン及びモリブデン化合物から選ばれる少なくとも１つの溶液、の各溶液に種子を浸漬することをいい、浸漬する順番は問わない。モリブデン及びモリブデン化合物から選ばれる少なくとも１つの溶液は、モリブデン及びモリブデン化合物が溶媒に分散している懸濁液でもよい。操作の簡便性から、ジベレリン、アブシシン酸、並びにモリブデン及びモリブデン化合物から選ばれる少なくとも１つの混合溶液に種子を浸漬することが好ましい。
ジベレリン、アブシシン酸、並びにモリブデン及びモリブデン化合物から選ばれる少なくとも１つ、を溶解または分散させる溶媒としては、通常水を用いる。水溶解度の低いアブシシン酸を使用する場合は、アブシシン酸をアセトン等の有機溶媒に溶解した後、水で所定濃度に希釈してもよい。ただし、有機溶媒の量は、種子の発芽に悪影響を及ぼさない範囲に調整する必要があり、混合液中の１％以下とすることが好ましい。
種子を浸漬する溶液中のジベレリンの濃度は、たとえば０．１〜１０００μｍｏｌ／Ｌ、好ましくは１〜１００μｍｏｌ／Ｌの範囲となるように調製する。同様に、アブシシン酸の濃度は、０．１〜１０μｍｏｌ／Ｌ、好ましくは０．４〜４μｍｏｌ／Ｌの範囲となるよう調製する。モリブデン及びモリブデン化合物から選ばれる少なくとも１つの濃度は、たとえば１０〜１０００００μｍｏｌ／Ｌ、好ましくは１００〜１０００００μｍｏｌ／Ｌの範囲となるように調製する。溶液中のジベレリンとアブシシン酸の濃度比（アブシシン酸／ジベレリン）は０．０００１〜１００、好ましくは０.００４〜４、ジベレリンとモリブデン及びモリブデン化合物から選ばれる少なくとも１つの濃度比（モリブデン及びモリブデン化合物から選ばれる少なくとも１つ／ジベレリン）は０.０１〜１００００００、好ましくは１〜１０００００である。
種子の浸漬方法、及び浸漬時間は、通常実施される「鉄コーティング湛水直播マニュアル２０１０」（山内稔  執筆、独立行政法人  農業・食品産業技術総合研究機構  近畿中国四国農業研究センター編、２０１０年３月）に準ずる。
【００１３】
製造方法２においては、種子をジベレリン溶液、及びアブシシン酸溶液に浸漬した後、モリブデン及びモリブデン化合物から選ばれる少なくとも１つで被覆する工程を有する。  種子をジベレリン溶液、及びアブシシン酸溶液に浸漬する方法は、ジベレリン溶液、アブシシン酸溶液の各溶液に浸漬してもよいし、ジベレリン、アブシシン酸の混合溶液に浸漬してもよい。次に、該浸漬工程を経た種子を、種子同士がまとまらず散らばる程度まで水分を除去し、モリブデン及びモリブデン化合物から選ばれる少なくとも１つで被覆する。モリブデン及びモリブデン化合物から選ばれる少なくとも１つで被覆する方法としては、種子表面にモリブデン及びモリブデン化合物から選ばれる少なくとも１つの粉末を、粉衣処理や吹付け処理する、あるいは、粉末を水等の溶媒で溶解または分散させた溶液で塗沫処理する等の被覆方法が挙げられる。
種子を浸漬する溶液中のジベレリン及びアブシシン酸の濃度、ジベレリンとアブシシン酸の濃度比は、製造方法１と同様である。
モリブデン及びモリブデン化合物から選ばれる少なくとも１つの被覆量は、例えば、酸化モリブデン粉末を用いた場合には０．１〜１０００μｍｏｌ／ｇ  ｄｒｙ  ｓｅｅｄ、好ましくは１０〜１００μｍｏｌ／ｇ  ｄｒｙ  ｓｅｅｄと、モリブデンが種子の発芽、及び発芽後の生育に悪影響をもたらさない範囲で保持させることができる。
【００１４】
本発明種子は、さらに鉄が表面に保持されていてもよい。
鉄としては、還元鉄（Ｆｅ）、酸化鉄ＩＩＩ（Ｆｅ２Ｏ３）、四酸化三鉄（Ｆｅ３Ｏ４）、酸化鉄（ＩＩ）（ＦｅＯ）等の粉末を用いることができる。
鉄を種子表面に保持させる方法としては、特許文献１、２あるいは「鉄コーティング湛水直播マニュアル２０１０」（山内稔  執筆、独立行政法人  農業・食品産業技術総合研究機構  近畿中国四国農業研究センター編、２０１０年３月）に記載されている、公知の被覆方法を利用することができる。
【００１５】
以上、ジベレリン、アブシシン酸、並びにモリブデン及びモリブデン化合物から選ばれる少なくとも１つを各々種子の表面または内部に保持させることにより、種子を圃場に直接播種した場合でも、出芽及び苗立ちが良好な種子を提供することができる。
【実施例】
【００１６】
以下、実施例により本発明をさらに具体的に説明するが、本発明はこれらに限定されるものではない。
【００１７】
調製例１
ジベレリン粉末（ジベレリンＡ３、有効成分３．１０％、協和発酵バイオ株式会社製）を所定濃度になるように水に溶解させ、ジベレリン水溶液を作製した。また、アセトン（和光純薬工業株式会社製）に、アブシシン酸粉末（（±）−アブシシン酸、有効成分９８．０％、シグマ アルドリッチ ジャパン合同会社製）を溶解させ、水で希釈することにより所定濃度のアブシシン酸水溶液（１％のアセトンを含む）を作製した。
次に、ジベレリン水溶液とアブシシン酸水溶液（１％のアセトンを含む）を混合し、ジベレリン０．３μｍｏｌ／Ｌ、アブシシン酸０．４μｍｏｌ／Ｌの混合液Ａを得た。得られた混合液Ａに、水稲の未消毒種子を浸漬し、積算温度４０℃に達するまで静置した。種子に対する混合液Ａの量としては、水稲種子を水で浸種する場合に通常使用される量（種子の２倍から３倍の量）を適用した。浸漬完了後、混合液Ａから種子を取り出し、種子１を得た。
【００１８】
調製例２
調製例１で得た混合液Ａに、酸化モリブデン粉末（有効成分９９．０％、和光純薬工業株式会社製一級）を１００００μｍｏｌ／Ｌとなるように添加し、撹拌して混合液Ｂを得た。得られた混合液Ｂに、水稲の未消毒種子を浸漬し、積算温度４０℃に達するまで静置した。種子に対する混合液Ｂの量としては、水稲種子を水で浸種する場合に通常使用される量（種子の２倍から３倍の量）を適用した。浸漬完了後、混合液Ｂから種子を取り出し、種子２を得た。
【００１９】
調製例３
水に調製例２で使用した酸化モリブデン粉末を１００００μｍｏｌ／Ｌとなるように添加し、撹拌して得られた懸濁液に、水稲の未消毒種子を浸漬し、積算温度４０℃に達するまで静置した。種子に対する懸濁液の量としては、水稲種子を水で浸種する場合に通常使用される量（種子の２倍から３倍の量）を適用した。浸漬完了後、懸濁液から種子を取り出し、種子３を得た。
【００２０】
調製例４
水稲の未消毒種子を水（種子の２倍から３倍の量）に浸漬し、積算温度４０℃に達するまで静置した。浸漬完了後、水から種子を取り出し、種子４を得た。
【００２１】
調製例５
調製例１で作製したジベレリン水溶液とアブシシン酸水溶液（１％のアセトンを含む）を混合し、ジベレリン１０μｍｏｌ／Ｌ、アブシシン酸４μｍｏｌ／Ｌの混合液Ｃを得た。得られた混合液Ｃに水稲の未消毒種子を浸漬し、積算温度４０℃に達するまで静置した。種子に対する混合液Ｃの量としては、水稲種子を水で浸種する場合に通常使用される量（種子の２倍から３倍の量）を適用した。浸漬が完了した種子について、種子同士がまとまらず散らばる程度まで水分を除去した後、調製例２で使用した酸化モリブデン粉末を乾燥種子１ｇに対して１００μｍｏｌ粉衣した。
【００２２】
調製例６
調製例５で得られた乾燥種子１ｋｇに対して、還元鉄（ＤＯＷＡ  ＩＰ  クリエイション株式会社製）２００ｇと焼石膏（吉野石膏販売株式会社製）を２０ｇ混合したものを、適度な水分を与えながら粉衣した。さらに焼石膏１０ｇを粉衣した後、バットの上に広げ、適宜水分を加えながら鉄を酸化させ、種子５を得た。
【００２３】
調製例７
調製例５で得られた混合液Ｃに水稲の未消毒種子を浸漬し、積算温度４０℃に達するまで静置した。種子に対する混合液Ｃの量としては、水稲種子を水で浸種する場合に通常使用される量（種子の２倍から３倍の量）を適用した。浸漬が完了した種子について、種子同士がまとまらず散らばる程度まで水分を除去した後、調製例６に記載の方法で鉄を種子表面に保持させ、種子６を得た。
【００２４】
調製例８
調製例４で得られた種子について、種子同士がまとまらず散らばる程度まで水分を除去した後、調製例２で使用した酸化モリブデン粉末を乾燥種子１ｇに対して１００μｍｏｌ粉衣した。さらに調製例６に記載の方法で鉄を種子表面に保持させ、種子７を得た。
【００２５】
調製例９
調製例４で得られた種子について、調製例６に記載の方法で鉄を種子表面に保持させ、種子８を得た。
【００２６】
調製例１０
調製例１で使用したジベレリン水溶液とアブシシン酸水溶液（１％のアセトンを含む）を混合し、ジベレリン１μｍｏｌ／Ｌ、アブシシン酸４μｍｏｌ／Ｌ混合液Dを得た。得られた混合液Dに水稲の未消毒種子を浸漬し、積算温度４０℃に達するまで静置した。種子に対する混合液Dの量としては、水稲種子を水で浸種する場合に通常使用される量（種子の２倍から３倍の量）を適用した。浸漬が完了した種子について、種子同士がまとまらず散らばる程度まで水分を除去した後、調製例２で使用した酸化モリブデン粉末を乾燥種子１ｇに対して１００μｍｏｌ粉衣した。さらに調製例６に記載の方法で鉄を種子表面に保持させ、種子９を得た。
【００２７】
調製例１１
調製例１６で得られた混合液Dに水稲の未消毒種子を浸漬し、積算温度４０℃に達するまで静置した。種子に対する混合液Dの量としては、水稲種子を水で浸種する場合に通常使用される量（種子の２倍から３倍の量）を適用した。浸漬が完了した種子について、種子同士がまとまらず散らばる程度まで水分を除去した後、調製例６に記載の方法で鉄を種子表面に保持させ、種子１０を得た。
【００２８】
試験例１
φ８ｃｍカップ（１/２０，０００ａ）にφ３ｍｍ篩下の水田土壌３００ｍｌを入れて代かき後、２日間静置した。湛水深を１ｃｍに調整し、２Ｍの硫酸アンモニウム水２００μｌを静かに添加した。数時間後、表１に記載の水稲種子を地表面に播種した。
播種１７日後に、出芽及び苗立ちが良好な健全苗を調査した結果を、表１に示した。
また、健全苗指数を下記より算出した。
健全苗指数（％）＝｛１−（１００−処理区の健全苗率（％））/（１００−無処理区の健全苗率（％））｝×１００
【００２９】
【表１】
2018038348.tif 000002
表中、ＧＡはジベレリン酸、ＡＢＡはアブシシン酸、ＭｏＯ３は酸化モリブデンを表す。（以下の表でも同様の表記とする）
【００３０】
試験例２
表２及び表３に記載の種子を、試験例１と同様に調製したカップで、土壌表面から１．５ｃｍの深さのところに播種した。播種１３日後に健全苗を調査し、結果を表２及び表３に示した。また、健全苗指数は、試験例１の式により算出した。
【００３１】
【表２】
2018038348.tif 000003
＊：μｍｏｌ／ｇ  ｄｒｙ  ｓｅｅｄ
【００３２】
【表３】
2018038348.tif 000004
＊：μｍｏｌ／ｇ  ｄｒｙ  ｓｅｅｄ
【００３３】
本発明の種子は、出芽及び苗立ちが良好である。